(57)【要約】【課題】一基のコンロにおいて、コンロ本体の内部に置かれている熱源（炭火など）の火力（強火あるいは弱火）を調節することができるコンロを提供する。【解決手段】コンロ本体１１０に対して相対高さが異なる第一の網１３０と第二の網１４０とをコンロ本体１１０に対してスライド可能に形成する。【選択図】図１
0003125376.tif 000002
【実用新案登録請求の範囲】
【請求項１】
上面が開口し、相互に平行な一対の上縁を有する箱状のコンロ本体と、
前記コンロ本体の前記上面を部分的に覆う第一の網であって、前記コンロ本体に対してスライド可能であるように前記一対の上縁に取り付けられている第一の網と、
前記コンロ本体の前記上面を部分的に覆う第二の網と、
を備えるコンロであって、
前記第二の網は、下端が前記一対の上縁の各々に対してスライド可能であるように前記コンロ本体に取り付けられている支持部材の上端に取り付けられているコンロ。
【請求項２】
上面が開口し、相互に平行な一対の上縁を有する箱状のコンロ本体と、
前記コンロ本体の前記上面を部分的に覆う第一の網であって、前記コンロ本体に対してスライド可能であるように前記一対の上縁に取り付けられている第一の網と、
前記コンロ本体の前記上面を部分的に覆う第二乃至第Ｎ（Ｎは３以上の正の整数）の網と、
を備えるコンロであって、
前記第二乃至第Ｎの網の各々は、下端が前記一対の上縁の各々に対してスライド可能であるように前記コンロ本体に取り付けられている支持部材の上端に取り付けられており、
前記第二乃至第Ｎの網の各々に対応する前記支持部材は相互に異なる高さを有しているコンロ。
【請求項３】
前記第一の網及び前記第二乃至第Ｎの網の各々がスライドするときには相互に干渉しないように配置されていることを特徴とする請求項１または２に記載のコンロ。
【請求項４】
前記第二乃至第Ｎの網の各々とそれに対応する前記支持部材は一体につくられていることを特徴とする請求項１乃至３のいずれか一項に記載のコンロ。
【請求項５】
前記第二乃至第Ｎの網の各々は前記支持部材に対して取り外し可能であることを特徴とする請求項１乃至４のいずれか一項に記載のコンロ。
【請求項６】
前記第一の網及び前記第二乃至第Ｎの網の各々は前記コンロ本体に対して取り外し可能であることを特徴とする請求項１乃至５のいずれか一項に記載のコンロ。
【考案の詳細な説明】
【技術分野】
【０００１】
本考案はコンロに関し、特に、野外での調理に用いる野外用コンロに関する。
【背景技術】
【０００２】
野外で用いられるコンロの一例として実用新案登録第３１１３６２８号公報に記載されたものがある。
【０００３】
同公報に記載されたコンロは、上面が開口している箱状のコンロ本体と、コンロ本体の上面に対してスライド可能にコンロ本体に取り付けられている焼き網と、から構成されている。
【０００４】
同公報記載のコンロによれば、コンロ本体の内部に炭を補給する際に、焼き網をスライドさせることにより、安全かつ容易に炭を補給することができる、というものである。
【考案の開示】
【考案が解決しようとする課題】
【０００５】
野外でコンロを使用する場合、食材の種類に応じて、強火での短時間の調理あるいは弱火での長時間での調理を行う必要が生じることがある。
【０００６】
しかしながら、上記公報に記載された従来のコンロにおいては、コンロ本体の内部に置かれている熱源（主に、炭火）と焼き網との間の高さが一定であるため、焼き網のどの位置においても、火力は一定であった。このため、強火あるいは弱火の調節を行うことは不可能であった。
【０００７】
本考案は、このような従来のコンロにおける問題点に鑑みてなされたものであり、一基のコンロにおいて、コンロ本体の内部に置かれている熱源（炭火など）の火力（強火あるいは弱火）を調節することができるコンロを提供することを目的とする。
【課題を解決するための手段】
【０００８】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００９】
上記の目的を達成するため、本考案は、第一の考案として、上面が開口し、相互に平行な一対の上縁（１１２ａ、１１２ｂ）を有する箱状のコンロ本体（１１０）と、前記コンロ本体（１１０）の前記上面を部分的に覆う第一の網（１３０）であって、前記コンロ本体（１１０）に対してスライド可能であるように前記一対の上縁（１１２ａ、１１２ｂ）に取り付けられている第一の網（１３０）と、前記コンロ本体（１１０）の前記上面を部分的に覆う第二の網（１４０）と、を備えるコンロ（１００）であって、前記第二の網（１４０）は、下端が前記一対の上縁（１１２ａ、１１２ｂ）の各々に対してスライド可能であるように前記コンロ本体（１１０）に取り付けられている支持部材（１５０）の上端に取り付けられているコンロ（１００）を提供する。
【００１０】
さらに、本考案は、第二の考案として、上面が開口し、相互に平行な一対の上縁（１１２ａ、１１２ｂ）を有する箱状のコンロ本体（１１０）と、前記コンロ本体（１１０）の前記上面を部分的に覆う第一の網（１３０）であって、前記コンロ本体（１１０）に対してスライド可能であるように前記一対の上縁（１１２ａ、１１２ｂ）に取り付けられている第一の網（１３０）と、前記コンロ本体（１１０）の前記上面を部分的に覆う第二乃至第Ｎ（Ｎは３以上の正の整数）の網（１４０、１６０）と、を備えるコンロ（２００）であって、前記第二乃至第Ｎの網（１４０、１６０）の各々は、下端が前記一対の上縁（１１２ａ、１１２ｂ）の各々に対してスライド可能であるように前記コンロ本体（１１０）に取り付けられている支持部材（１５０、１７０）の上端に取り付けられており、前記第二乃至第Ｎの網（１４０、１６０）の各々に対応する前記支持部材（１５０、１７０）は相互に異なる高さを有しているコンロ（２００）を提供する。
【００１１】
前記第一の網（１３０）及び前記第二乃至第Ｎの網（１４０、１６０）の各々がスライドするときには相互に干渉しないように配置されていることが好ましい。
【００１２】
前記第二乃至第Ｎの網（１４０、１６０）の各々とそれに対応する前記支持部材（１５０、１７０）は一体につくられていることを特徴とする請求項１乃至３のいずれか一項に記載のコンロ。
【００１３】
前記第二乃至第Ｎの網（１４０、１６０）の各々は前記支持部材（１５０、１７０）に対して取り外し可能であることが好ましい。
【００１４】
前記第一の網（１３０）及び前記第二乃至第Ｎの網（１４０、１６０）の各々は前記コンロ本体（１１０）に対して取り外し可能であることが好ましい。
【考案の効果】
【００１５】
第一の考案に係るコンロにおいては、コンロ本体の開口上面の上方には、コンロ本体に対する高さが異なる二つの網が存在する。すなわち、第一の網はコンロ本体の開口上面と同じ高さにあり、第二の網はコンロ本体の開口上面に対して支持部材の長さの分だけ高い位置にある。コンロ本体の内部に置かれている熱源（炭火）の火力は一定であるから、第一の網の上における火力は第二の網の上における火力よりも大きい。このため、強火で短時間の調理を行いたい食材は第一の網の上に置き、弱火で長時間の調理を行いたい食材は第二の網の上に置くことにより、食材の種類に応じて、所望の調理を行うことが可能である。すなわち、本考案に係るコンロによれば、熱源の火力を２段階に調節することが可能になる。
【００１６】
第二の考案に係るコンロにおいては、コンロ本体の開口上面の上方には、コンロ本体に対する高さが異なる（Ｎ−１）個の網が存在する。すなわち、第一の網はコンロ本体の開口上面と同じ高さにあり、第二乃至第Ｎの網はコンロ本体の開口上面に対してそれらの網の各々に対応する支持部材の長さの分だけ高い位置にある。コンロ本体の内部に置かれている熱源（炭火）の火力は一定であるから、例えば、Ｎ＝３の場合を想定すると、第一の網の上における火力は第二の網の上における火力よりも大きく、第二の網の上における火力は第三の網の上における火力よりも大きい。このため、本考案に係るコンロによれば、強火で短時間の調理を行いたい食材は第一の網の上に置き、中火で中時間の調理を行いたい食材は第二の網の上に置き、弱火で長時間の調理を行いたい食材は第三の網の上に置くことにより、食材の種類に応じて、所望の調理を行うことが可能である。すなわち、本考案に係るコンロによれば、熱源の火力をＮ段階に調節することが可能になる。
【００１７】
また、第一の網及び第二乃至第Ｎの網の各々がスライドするときには相互に干渉しないように配置することにより、相対高さが異なる複数の網を組み合わせて用いることができ、あるいは、全ての網をコンロ本体の一方の側に寄せることにより、コンロ本体の他方の側を開放することができる。
【００１８】
また、第二乃至第Ｎの網の各々をそれらに対応する支持部材に対して取り外し可能であるように形成することにより、コンロをより細かく分解することが可能になり、コンロの収納時のスペースを小さくすることが可能である。
【００１９】
また、第一の網及び第二乃至第Ｎの網の各々をコンロ本体に対して取り外し可能であるように形成することにより、高さが異なる種々の網を使用することが可能になる。
【考案を実施するための最良の形態】
【００２０】
（第一の実施形態）
図１は本考案の第一の実施形態に係るコンロ１００の斜視図であり、図２は図１のＡ方向から見た側面図、図３は図１のＢ方向から見た側面図である。
【００２１】
本考案の第一の実施形態に係るコンロ１００は、コンロ本体１１０と、コンロ本体１１０の外壁の四隅に取り付けられ、コンロ本体１１０を地上に対して支持する４個の脚部１２０と、第一の網１３０と、第二の網１４０と、支持部材１５０と、を備えている。
【００２２】
コンロ本体１１０は上面が開口している直方体形状の箱から構成されている。
【００２３】
コンロ本体１１０の内部には炭火その他の熱源が置かれる。このため、コンロ本体１１０は耐熱性材料、例えば、ステンレススティールでつくられている。
【００２４】
コンロ本体１１０の４つの外壁の各々には空気取り入れ口１１１が形成されている。
【００２５】
コンロ本体１１０は相互に平行な一対の上縁１１２ａ、１１２ｂを備えており、後述するように、第一の網１３０及び第二の網１４０はこの一対の上縁１１２ａ、１１２ｂにスライド可能に取り付けられる。
【００２６】
４個の脚部１２０の各々は、締め付けネジ１２１を介して、コンロ本体１１０の外壁に取り外し自在に取り付けられている。
【００２７】
第一の網１３０はコンロ本体１１０の幅に等しい幅Ｗとコンロ本体１１０の全長Ｌの半分に等しい長さＬ／２とを有している。すなわち、第一の網１３０はコンロ本体１１０の開口上面の表面積の半分を覆う大きさを有している。
【００２８】
第一の網１３０はコンロ本体１１０に対してスライド可能であるようにコンロ本体１１０の一対の上縁１１２ａ、１１２ｂに取り付けられている。
【００２９】
図２に示すように、コンロ本体１１０の一対の上縁１１２ａ、１１２ｂは水平方向外側に突出している。
【００３０】
第一の網１３０の両端１３０ａ、１３０ｂは「コ」の字型に形成されており、コンロ本体１１０の一対の上縁１１２ａ、１１２ｂが「コ」の字型の両端１３０ａ、１３０ｂにそれぞれ嵌合するようになっている。このため、第一の網１３０はコンロ本体１１０の長さ方向Ｘ（図１参照）においてコンロ本体１１０に対してスライド可能であるようになっている。
【００３１】
第二の網１４０は第一の網１３０と同じ大きさ、すなわち、コンロ本体１１０の開口上面の表面積の半分を覆う大きさを有している。
【００３２】
第二の網１４０は、図３に示すように、支持部材１５０を介して、コンロ本体１１０の一対の上縁１１２ａ、１１２ｂに対してスライド可能であるように、コンロ本体１１０に取り付けられている。
【００３３】
支持部材１５０は、コンロ本体１１０の正面方向（図１のＣ方向）から見たときに、長方形のフレームの形状をなしている。
【００３４】
図３に示すように、支持部材１５０の下端１５０ａ、１５０ｂは「コ」の字型に形成されており、コンロ本体１１０の一対の上縁１１２ａ、１１２ｂが「コ」の字型の下端１５０ａ、１５０ｂにそれぞれ嵌合するようになっている。このため、第二の網１４０はコンロ本体１１０の長さ方向Ｘ（図１参照）においてコンロ本体１１０に対してスライド可能であるようになっている。
【００３５】
なお、支持部材１５０の長さは、必要に応じて、任意に決めることができる。
【００３６】
以上のような構造を有する本実施形態に係るコンロ１００は以下のようにして使用される。
【００３７】
コンロ本体１１０の内部に炭を入れる場合には、図１に示すように、例えば、第一の網１３０をコンロ本体１１０の外側までスライドさせ、コンロ本体１１０の開口上面から炭を入れる。
【００３８】
その後、第一の網１３０をコンロ本体１１０の内部に向かってスライドさせ、コンロ本体１１０の開口上面の半分を覆う位置までスライドさせる。コンロ本体１１０の開口上面の残りの半分は第二の網１４０で覆う状態にする。
【００３９】
第一の網１３０及び第二の網１４０をこのように配置することにより、コンロ本体１１０の開口上面の上方には、コンロ本体１１０に対する高さが異なる二つの網１３０、１４０が存在することになる。すなわち、第一の網１３０はコンロ本体１１０の開口上面と同じ高さにあり、第二の網１４０はコンロ本体１１０の開口上面に対して支持部材１５０の長さの分だけ高い位置にある。
【００４０】
コンロ本体１１０の内部に置かれている熱源（炭火）の火力は一定であるから、第一の網１３０の上における火力は第二の網１４０の上における火力よりも大きい。
【００４１】
このため、強火で短時間の調理を行いたい食材は第一の網１３０の上に置き、弱火で長時間の調理を行いたい食材は第二の網１４０の上に置くことにより、食材の種類に応じて、所望の調理を行うことが可能である。
【００４２】
また、第二の網１４０をコンロ本体１１０の外側までスライドさせ、その位置に止めておくことにより、焼けた肉その他の食材が焦げないように、第二の網１４０の上に一時的に置いておくこともできる。
【００４３】
本実施形態に係るコンロ１００は上記の構造に限定されるものではなく、種々の改変を加えることが可能である。
【００４４】
例えば、本実施形態に係るコンロ１００においては、コンロ本体１１０は直方体形状をなしているが、コンロ本体１１０の形状は直方体には限定されない。相互に平行な一対の上縁１１２ａ、１１２ｂを有するものである限りは、いかなる形状をも採り得る。
【００４５】
また、本実施形態に係るコンロ１００においては、第一の網１３０及び第二の網１４０の大きさはコンロ本体１１０の開口上面の面積の半分に等しく設定されているが、これには限定されない。コンロ本体１１０の開口上面の面積の半分よりも大きくてもよく、あるいは、小さくてもよい。コンロ本体１１０の開口上面を部分的に覆うものである限りは、第一の網１３０及び第二の網１４０の大きさとしては、必要に応じて、任意の大きさを選択することができる。
【００４６】
さらに、本実施形態に係るコンロ１００においては、第一の網１３０及び第二の網１４０がコンロ本体１１０の一対の上縁１１２ａ、１１２ｂに対してスライドするための機構として、一対の上縁１１２ａ、１１２ｂが嵌合し得る「コ」の字型の端部１３０ａ、１３０ｂ、１５０ａ、１５０ｂを用いたが、スライド機構はこれには限定されない。第一の網１３０及び第二の網１４０がコンロ本体１１０に対してスライド可能である限りにおいて、任意のスライド機構を用いることが可能である。
【００４７】
なお、本実施形態に係るコンロ１００においては、第一の網１３０及び第二の網１４０はコンロ本体１１０から取り外すことが可能である。これにより、コンロ１００の収納時に小さなスペースでコンロ１００を収納することが可能になる。ただし、コンロ１００の使用時においては、コンロ本体１１０の適当な位置にストッパーを取り付け、第一の網１３０及び第二の網１４０がコンロ本体１１０から取り外すことができないようにすることも可能である。この場合のストッパーもコンロ本体１１０に対して着脱可能なものであることが好ましい。
【００４８】
なお、本実施形態においては、第一の網１３０及び第二の網１４０を用いたが、「網」の代わりにプレート（鉄板）を用いることも可能であり、プレート（鉄板）を用いても、同様の機能及び効果を得ることができる。このため、本明細書における「網」の語は通常の網（ネット）の他にプレート（鉄板）をも含むものとする。
【００４９】
（第二の実施形態）
図４は本考案の第二の実施形態に係るコンロ２００の斜視図であり、図５は図４のＡ方向から見た側面図である。
【００５０】
本考案の第二の実施形態に係るコンロ２００は、第一の実施形態に係るコンロ１００と比較して、第一の網１３０及び第二の網１４０と同様にコンロ本体１１０に対してスライド可能な第三の網１６０をさらに備えている。
【００５１】
本実施形態に係るコンロ２００における第一の網１３０、第二の網１４０及び第三の網１６０をコンロ本体１１０に対してスライドさせるためのスライド機構は、以下に述べるように、第一の実施形態に係るコンロ１００におけるスライド機構と異なっている。
【００５２】
さらに、本実施形態に係るコンロ２００における第一の網１３０、第二の網１４０及び第三の網１６０はいずれもコンロ本体１１０の開口上面の面積の１／３に等しい大きさを有している。
【００５３】
本実施形態に係るコンロ２００は、第三の網１６０をさらに備えている点と、第一の実施形態とは異なるスライド機構を有している点と、第一の網１３０及び第二の網１４０の大きさが異なっている点とを除いて、第一の実施形態に係るコンロ１００と同様の構造を有している。このため、第一の実施形態と同一の構成要素には同一の参照符号を付す。
【００５４】
第三の網１６０は、後述するように、支持部材１７０を介して、コンロ本体１１０に対してスライド可能に取り付けられている。この支持部材１７０の長さは第二の網１４０を支持している支持部材１５０の長さよりも小さい。従って、第三の網１６０は、第一の網１３０よりも高さは高いが、第二の網１４０よりは高さが低くなっている。
【００５５】
図５に示すように、本実施形態における第一の網１３０の両端（コンロ本体１１０の幅方向における両端）は直角に屈曲している。
【００５６】
また、図５に示すように、本実施形態における第二の網１４０を支持する支持部材１５０は直線状の部材から構成されており、同様に、第三の網１６０を支持する支持部材１７０も直線状の部材から構成されている。
【００５７】
図５に示すように、コンロ本体１１０の一対の上縁１１２ａ、１１２ｂの上面の各々には３対のレール１８１ａ、１８１ｂ、１８２ａ、１８２ｂ、１８３ａ、１８３ｂが取り付けられている。
【００５８】
各レール１８１ａ、１８１ｂ、１８２ａ、１８２ｂ、１８３ａ、１８３ｂは凹型をなしており、レール１８１ａ、１８１ｂの凹部には第一の網１３０の直角に屈曲している両端が嵌合可能であり、レール１８２ａ、１８２ｂの凹部には第三の網１６０を支持する支持部材１７０の下端が嵌合可能であり、レール１８３ａ、１８３ｂの凹部には第二の網１４０を支持する支持部材１５０の下端が嵌合可能であるようになっている。
【００５９】
このため、第一の網１３０はレール１８１ａ、１８１ｂに沿ってスライド可能であり、第三の網１６０はレール１８２ａ、１８２ｂに沿ってスライド可能であり、第二の網１４０はレール１８３ａ、１８３ｂに沿ってスライド可能であるようになっている。
【００６０】
さらに、第一の実施形態の場合とは異なり、第一の網１３０、第二の網１４０及び第三の網１６０は相互に干渉することなく各々独立にスライドすることが可能である。このため、例えば、コンロ本体１１０の開口上面の半分を開放したい場合には、第一の網１３０、第二の網１４０及び第三の網１６０を全て重ね合わせて配置することも可能である。
【００６１】
本実施形態に係るコンロ２００によれば、第一の実施形態に係るコンロ１００よりも、火力の調節度合いの数を大きくすることが可能である。
【００６２】
コンロ本体１１０の内部に置かれている熱源（炭火）の火力は一定であるから、第一の網１３０の上における火力は第三の網１６０の上における火力よりも大きく、第三の網１６０の上における火力は第二の網１４０の上における火力よりも大きい。
【００６３】
このため、本実施形態に係るコンロ２００によれば、強火で短時間の調理を行いたい食材は第一の網１３０の上に置き、中火で中時間の調理を行いたい食材は第三の網１６０の上に置き、弱火で長時間の調理を行いたい食材は第二の網１４０の上に置くことにより、食材の種類に応じて、所望の調理を行うことが可能である。
【００６４】
このように、第一の実施形態に係るコンロ１００においては火力を２段階に調節することが可能であったが、本実施形態に係るコンロ２００によれば、火力を３段階に調節することが可能である。
【００６５】
本実施形態に係るコンロ２００は上記の構造に限定されるものではなく、種々の改変を加えることが可能である。
【００６６】
例えば、第一の網１３０、第二の網１４０及び第三の網１６０をコンロ本体１１０に対してスライドさせるための機構として、第一の実施形態に係るコンロ１００において採用したスライド機構を用いることも可能である。
【００６７】
また、本実施形態に係るコンロ２００はコンロ本体１１０に対する相対高さが異なる３個の網１３０、１４０、１６０を有するものとして形成されているが、本実施形態に係るコンロ２００が備え得る網の数は３には限定されない。必要に応じて、４個または５個以上の網を有するものとして形成することも可能である。
【００６８】
また、第一の実施形態に係るコンロ１００と同様に、コンロ１００の使用時において、コンロ本体１１０の適当な位置にストッパーを取り付け、第一の網１３０、第二の網１４０及び第三の網１６０がコンロ本体１１０から取り外すことができないようにすることも可能である。この場合のストッパーもコンロ本体１１０に対して着脱可能なものであることが好ましい。
【００６９】
（第三の実施形態）
上述の第一及び第二の実施形態においては、第二の網１４０及び第三の網１６０はそれぞれ支持部材１５０、１７０と一体に形成されている。
【００７０】
第三の実施形態においては、第二の網１４０及び第三の網１６０はそれぞれ支持部材１５０、１７０と一体に形成されてはおらず、第二の網１４０及び第三の網１６０はそれぞれ支持部材１５０、１７０とは別個の部品として形成されている。
【００７１】
図６は本実施形態における第三の網１６０と支持部材１７０との部分的な縦断面図である。
【００７２】
図６に示すように、本実施形態においては、支持部材１７０の両端（コンロ本体１１０の長さ方向における両端）の各々において支持部材１７０の上面に上方に向かって突出する凸部１７１が形成されており、第三の網１６０には凸部１７１に対応する位置に貫通孔１６１が形成されている。
【００７３】
支持部材１７０の凸部１７１を第三の網１６０の貫通孔１６１に嵌め込むことにより、第三の網１６０を支持部材１７０に対して取り付けることができる。さらに、必要に応じて、第三の網１６０を支持部材１７０から取り外すことも可能である。
【００７４】
第二の網１４０及びそれに対応する支持部材１５０も第三の網１６０及びそれに対応する支持部材１７０と同様の構造を有している。
【００７５】
第二の網１４０及び第三の網１６０並びにそれらに対応する支持部材１５０及び１７０をこのように形成することにより、本実施形態に係るコンロをより細かく分解することが可能になり、収納時のスペースを小さくすることが可能である。
【００７６】
なお、第二の網１４０及び第三の網１６０をそれらに対応する支持部材１５０及び１７０から取り外し可能に形成する構造は上記の構造に限定されるものではなく、種々の構造を選定することが可能である。
【図面の簡単な説明】
【００７７】
【図１】本考案の第一の実施形態に係るコンロの斜視図である。
【図２】図１のＡ方向から見た側面図である。
【図３】図１のＢ方向から見た側面図である。
【図４】本考案の第二の実施形態に係るコンロの斜視図である。
【図５】図４のＡ方向から見た側面図である。
【図６】本考案の第三の実施形態における第三の網と支持部材との部分的な縦断面図である。
【符号の説明】
【００７８】
１００  本考案の第一の実施形態に係るコンロ
１１０  コンロ本体
１１２ａ、１１２ｂ  コンロ本体の上縁
１２０  脚部
１２１  締め付けネジ
１３０  第一の網
１４０  第二の網
１５０  支持部材
２００  本考案の第二の実施形態に係るコンロ
１６０  第三の網
１７０  支持部材
１８１ａ、１８１ｂ、１８２ａ、１８２ｂ、１８３ａ、１８３ｂ  レール
１６１  貫通孔
１７１  凸部
【図１】
0003125376.tif 000003
【図２】
0003125376.tif 000004
【図３】
0003125376.tif 000005
【図４】
0003125376.tif 000006
【図５】
0003125376.tif 000007
【図６】
0003125376.tif 000008